(57)【特許請求の範囲】
【請求項１】
前後方向に軸線を向けて扱胴(7)を配設した扱室(4)と、同扱室(4)の後部側方に前後方向に軸線を向けて処理胴(10)を配設した処理室(5)とを送塵口(14)を介して連通させ、同扱室(4)内で脱穀した扱卸物を扱胴受網(8)を通して漏下させる一方、扱室(4)内から送塵口(14)を通して処理室(5)内に送出される送出物を処理室(5)内で処理して、処理物を処理胴受網(11)を通して漏下させ、これら漏下物を上記扱胴受網(8)及び処理胴受網(11)の直下方位置に配設した選別体(20)により選別して１番コンベア体(22)又は２番コンベア体(23)に落下させ、同２番コンベア体(23)に落下した落下物は２番縦コンベア体(24)を介して扱室(4)に還元するようにした脱穀装置において、
処理室(5)と２番縦コンベア体(24)とを連通させたことを特徴とする脱穀装置。
【請求項２】
処理室(5)の外側部の一部と２番縦コンベア体(24)とを連通路形成体(30)を介して連通連設したことを特徴とする請求項１記載の脱穀装置。
【請求項３】
処理胴受網(11)を連通路形成体(30)の上端開口部(30a)の位置まで延設して、同処理胴受網(11)の延設部(11a)を通して漏下してくる漏下物(a)を連通路形成体(30)内を通して２番縦コンベア体(24)に供給するようにしたことを特徴とする請求項２記載の脱穀装置。
【請求項４】
処理胴受網(11)は、選別体(20)側に漏下させる網目(11b)よりも、２番縦コンベア体(24)に漏下させる延設部(11a)の網目(11c)を大きく形成したことを特徴とする請求項３記載の脱穀装置。
【発明の詳細な説明】
【０００１】
【発明の属する技術分野】
本発明は、脱穀装置に関する。
【０００２】
【従来の技術】
従来、脱穀装置の一形態として、前後方向に軸線を向けて扱胴を配設した扱室と、同扱室の後部側方に前後方向に軸線を向けて処理胴を配設した処理室とを送塵口を介して連通させ、同扱室内で脱穀した扱卸物を扱胴受網を通して漏下させる一方、扱室内から送塵口を通して処理室内に送出される送出物を処理室内で処理して、処理物を処理胴受網を通して漏下させ、これら漏下物を上記扱胴受網及び処理胴受網の直下方位置に配設した選別体により選別して１番コンベア体又は２番コンベア体に落下させ、同２番コンベア体に落下した落下物は２番縦コンベア体を介して扱室に還元するようにしているものがある。
【０００３】
【発明が解決しようとする課題】
ところが、上記した処理胴受網は、処理胴の内側半部の下側周面、すなわち、処理胴の略四分の一円弧面を被覆する程度の大きさであるために、処理胴を大径化して処理能力を増大させても、処理胴受網の漏下面積に変わりがなければ漏下物の量に大差がないことから、後続の選別処理能率を向上させることができないという不具合がある。
【０００４】
また、単に、処理胴受網の漏下面積を大きくしても、同処理胴受網の外側部から漏下する漏下物は、選別体の外側部に落下して堆積し、同選別体から容易にオーバーフローしてロスする虞がある。
【０００５】
【課題を解決するための手段】
そこで、本発明では、前後方向に軸線を向けて扱胴を配設した扱室と、同扱室の後部側方に前後方向に軸線を向けて処理胴を配設した処理室とを送塵口を介して連通させ、同扱室内で脱穀した扱卸物を扱胴受網を通して漏下させる一方、扱室内から送塵口を通して処理室内に送出される送出物を処理室内で処理して、処理物を処理胴受網を通して漏下させ、これら漏下物を上記扱胴受網及び処理胴受網の直下方位置に配設した選別体により選別して１番コンベア体又は２番コンベア体に落下させ、同２番コンベア体に落下した落下物は２番縦コンベア体を介して扱室に還元するようにした脱穀装置において、処理室と２番縦コンベア体とを連通させたことを特徴とする脱穀装置を提供するものである。
【０００６】
また、本発明は、以下の構成にも特徴を有する。
【０００７】
▲１▼処理室の外側部の一部と２番縦コンベア体とを連通路形成体を介して連通連設したこと。
【０００８】
▲２▼処理胴受網を連通路形成体の上端開口部の位置まで延設して、同処理胴受網の延設部を通して漏下してくる漏下物を連通路形成体内を通して２番縦コンベア体に供給するようにしたこと。
【０００９】
▲３▼処理胴受網は、選別体側に漏下させる網目よりも、２番縦コンベア体に漏下させる延設部の網目を大きく形成したこと。
【００１０】
【発明の実施の形態】
以下に、本発明の実施の形態について説明する。
【００１１】
すなわち、本発明に係る脱穀装置は、基本的構造として、前後方向に軸線を向けて扱胴を配設した扱室と、同扱室の後部側方に前後方向に軸線を向けて処理胴を配設した処理室とを送塵口を介して連通させ、同扱室内で脱穀した扱卸物を扱胴受網を通して漏下させる一方、扱室内から送塵口を通して処理室内に送出される送出物を処理室内で処理して、処理物を処理胴受網を通して漏下させ、これら漏下物を上記扱胴受網及び処理胴受網の直下方位置に配設した選別体により選別して１番コンベア体又は２番コンベア体に落下させ、同２番コンベア体に落下した落下物は２番縦コンベア体を介して扱室に還元するようにしている。
【００１２】
そして、特徴的構造として、処理室と２番縦コンベア体とを連通させている。
【００１３】
すなわち、処理室の外側部の一部と２番縦コンベア体とを連通路形成体を介して連通連設し、処理胴受網を連通路形成体の上端開口部の位置まで延設して、同処理胴受網の延設部を通して漏下してくる漏下物を連通路形成体内を通して２番縦コンベア体に供給するようにしている。
【００１４】
しかも、処理胴受網は、選別体側に漏下させる網目よりも、２番縦コンベア体に漏下させる延設部の網目を大きく形成している。
【００１５】
【実施例】
以下に、本発明の実施例を、図面を参照しながら説明する。
【００１６】
図1は本発明にかかる脱穀装置Ａの背面説明図、図２は同脱穀装置Ａの側面説明図である。
【００１７】
本発明に係る脱穀装置Ａは、図１及び図２に示すように、刈り取った穀稈を搬送する搬送部としてのフィードチェン１と、同フィードチェン１により後方へ搬送される穀桿の穂先部を脱穀する脱穀部２と、同脱穀部２により脱穀された穀粒を選別する選別部３とを具備している。15は吸引排塵ファンである。
【００１８】
脱穀部２は、扱室４と、同扱室４の右側後方位置に配設した処理室５とを具備しており、扱室４内には前後方向に軸線を向けた扱胴支軸６を介して扱胴７を横架し、同扱胴７の直下方位置に扱胴受網８を張設し、また、処理室５内には前後方向に軸線を向けた処理胴支軸９を介して処理胴10を横架し、同処理胴10の直下方位置に処理胴受網11を張設している。12は扱歯、13は処理歯である。
【００１９】
そして、扱室４と処理室５は送塵口14を介して連通させ、同扱室４内で脱穀した扱卸物を扱胴受網８を通して漏下させる一方、扱室４内から送塵口14を通して処理室５内に送出される送出物を処理室５内で処理して、処理物を処理胴受網11を通して漏下させるようにしている。
【００２０】
ここで、処理胴支軸９と扱室４の前壁4aとの間には前後方向に伸延する伝動軸16を介設しており、同伝動軸16の前端部と扱胴支軸６の前端部とを伝動機構17を介して連動連結している。
【００２１】
そして、伝動機構17は、伝動軸16の前端部と扱胴７の前端部との間にプーリ17a,17bを介して伝動ベルト17cを巻回して形成している。
【００２２】
選別部３は、上記扱胴受網８及び処理胴受網11の直下方位置において前後方向に揺動自在に配設した選別体20と、同選別体20の前部下方位置に配設した唐箕21と、同唐箕21の後方位置でかつ選別体20の中途部下方位置に配設した１番コンベア体22と、同１番コンベア体22の後方位置でかつ選別体20の後部下方位置に配設した２番コンベア体23と、同２番コンベア体23の右側端部と扱室４の右側部との間に介設した２番縦コンベア体24とを具備している。
【００２３】
そして、１番コンベア体22は、左右方向に伸延する１番受樋22a内に１番スクリュウコンベア22bを配置し、また、２番コンベア体23は、左右方向に伸延する２番受樋23a内に２番スクリュウコンベア23bを配置している。
【００２４】
このようにして、扱胴受網８及び処理胴受網11を通して漏下してくる漏下物ａを選別体20により揺動選別すると共に、唐箕21から吹き出る風を選別体20の下方から上方へ向けて通過させることにより風選作用を与えて風選別して、１番物を一番コンベア体22に流下させ、２番物を２番コンベア体23に流下させるようにしている。
【００２５】
そして、１番コンベア体22に流下した１番物は、揚穀筒（図示せず）を介してグレンタンク（図示せず）に回収する一方、２番コンベア体23に流下した２番物は、機体の外部に配設した２番縦コンベア体24を介して扱室４に還元するようにしている。ｄは還元方向を示している。
【００２６】
ここで、２番縦コンベア体24は、還元筒24a内に２番縦スクリュウコンベア24bを配置して形成している。
【００２７】
上記のような構成において、本発明の要旨は、処理室５と２番縦コンベア体24とを連通させたことにある。
【００２８】
すなわち、処理室の外側部である右側半部の下面と２番縦コンベア体24の中途部の上面とを、下方へ向けて漸次縮径するロート状に形成した連通路形成体30を介して連通連設し、処理胴受網11を連通路形成体30の上端開口部30aの位置まで延設して、同処理胴受網11の延設部11aを通して漏下してくる漏下物ａを連通路形成体30内に形成した連通路31を通して２番縦コンベア体24内に供給するようにしている。
【００２９】
このようにして、処理室５内にて処理された処理物を処理胴受網11を通して一部は選別体20側に漏下させると共に、一部は連通路形成体30内に形成した連通路31を通して２番縦コンベア体24内に漏下させるようにしているため、処理物の漏下処理を効率良く行うことができる。
【００３０】
そして、２番縦コンベア体24に漏下された漏下物ａは、扱室４に還元されて再度扱室４→処理室５にて順次処理され、処理胴受網11を通して円滑に漏下処理されることになる。
【００３１】
また、連通路形成体30は、上端開口部30aの前後幅を処理室５の前後幅と略同一に形成する一方、下端開口部30bの前後幅を上端開口部30aの略半分の前後幅に形成すると共に、左右幅を２番縦コンベア体24の還元筒24aの外径と略同一幅に形成して、扁平ロート状となしている。
【００３２】
このようにして、処理室５の外側部の一部と、機体の外部に配設した２番縦コンベア体24とを、左右方向に扁平なロート状に形成した連通路形成体30によりコンパクトに連通連設しているため、機体のコンパクト性を良好に保持させることができる。
【００３３】
また、処理胴受網11は、図３に示すように、選別体20側に漏下させる網目11bよりも、２番縦コンベア体に漏下させる延設部11aの網目11cを大きく形成している。
【００３４】
このようにして、処理胴受網11の網目の大きさを、選別体20側の網目1 1bよりも２番縦コンベア体24側の網目11cを大きく形成して変えているため、枝梗付着粒や穂切粒は２番縦コンベア体24側に漏下させて、扱室４内と処理室５内にて再処理することにより枝梗の分離を確実にして、後続の選別体20による選別効率を向上させることができると共に、穀粒の回収ロスを大幅に削減することができる。
【００３５】
【発明の効果】
本発明によれば、次のような効果が得られる。
【００３６】
▲１▼請求項１記載の本発明では、処理室と２番縦コンベア体とを連通させている。
【００３７】
このようにして、処理室内で処理された処理物を２番縦コンベア体を介して再度扱室に還元して、再処理させることができ、枝梗付着粒や穂切粒から枝梗を確実に分離させることができる。
【００３８】
▲２▼請求項２記載の本発明では、処理室の外側部の一部と２番縦コンベア体とを連通路形成体を介して連通連設している。
【００３９】
このようにして、処理室内で処理された処理物を連通路形成体を介して２番縦コンベア体に円滑かつ確実に供給することができ、同２番縦コンベア体から処理物を再度扱室に還元して、再処理させることができ、枝梗付着粒や穂切れ粒から枝梗を確実に分離させることができる。
【００４０】
この際、処理室の外側部の一部と、機体外部に配設している２番縦コンベア体とを連通路形成体によりコンパクトに連通連設することができるため、機体のコンパクト性を良好に保持させることができる。
【００４１】
▲３▼請求項３記載の本発明では、処理胴受網を連通路形成体の上端開口部の位置まで延設して、同処理胴受網の延設部を通して漏下してくる漏下物を連通路形成体内を通して２番縦コンベア体に供給するようにしている。
【００４２】
このようにして、処理室にて処理された処理物を処理胴受網を通して一部は選別体側に漏下させると共に、一部は連通路形成体内を通して２番縦コンベア体内に漏下させるようにしているため、処理物の漏下処理を効率良く行うことができる。
【００４３】
そして、２番縦コンベア体に漏下された漏下物は、扱室に還元されて再度扱室→処理室にて順次処理され、処理胴受網を通して円滑に漏下処理されることになる。
【００４４】
▲４▼請求項４記載の本発明では、処理胴受網は、選別体側に漏下させる網目よりも、２番縦コンベア体に漏下させる延設部の網目を大きく形成している。
【００４５】
このようにして、処理胴受網の網目の大きさを、選別体側の網目よりも２番縦コンベア体側の網目を大きく形成して変えているため、枝梗付着粒や穂切粒は２番縦コンベア体側に漏下させて、扱室と処理室にて再処理することにより枝梗の分離を確実にして、後続の選別体による選別効率を向上させることができると共に、穀粒の回収ロスを大幅に削減することができる。
【図面の簡単な説明】
【図１】本発明にかかる脱穀装置の背面説明図。
【図２】同脱穀装置の側面説明図。
【図３】処理胴受網の平面図。
【符号の説明】
Ａ  脱穀装置
１  フィードチェン
２  脱穀部
３  選別部
４  扱室
５  処理室
６  扱胴支軸
７  扱胴
８  扱胴受網
９  処理胴支軸
10  処理胴
11  処理胴受網
【図１】
0004643065.tif 000002
【図２】
0004643065.tif 000003
【図３】
0004643065.tif 000004